(57)【要約】  階層化されたＲＢについて、階層毎にＣＱＩを報告する際、ＣＱＩの総数をさらに低減する無線通信装置及びＣＱＩ生成方法を提供する。これらの装置及び方法では、同数のＲＢからなる複数のグループを１つの階層とし、多くのＲＢ数からなるグループを低い階層とし、少ないＲＢ数からなるグループを高い階層として階層化したＲＢについて、ＲＢの受信品質に基づいて階層毎に報告するＣＱＩを低い階層ほど長い周期で、高い階層ほど短い周期でＵＥからＮｏｄｅ Ｂに報告する。
2008001727.tif 000002
【特許請求の範囲】
【請求項１】
リソースブロック毎に受信品質を測定する測定手段と、
同数のリソースブロックからなる複数のグループを１つの階層とし、リソースブロック数の多いグループほど低い階層とし、リソースブロック数の少ないグループほど高い階層として階層化したリソースブロックについて、測定された前記受信品質に基づいて、階層毎に報告するＣＱＩを低い階層ほど長い周期で生成し、高い階層ほど短い周期で生成するＣＱＩ生成手段と、
を具備する無線通信装置。
【請求項２】
前記ＣＱＩ生成手段は、前記ＣＱＩの割り当てビット数を低い階層ほど少なくし、高い階層ほど多くして前記ＣＱＩを生成する請求項１に記載の無線通信装置。
【請求項３】
前記ＣＱＩ生成手段は、レベル毎にグループ分けされたＣＱＩを、グループを示す上位ビットとグループ内のＣＱＩを特定する下位ビットとを用いて表す場合、下位ビットを低い階層ほど長い周期で生成し、高い階層ほど短い周期で生成する請求項１に記載の無線通信装置。
【請求項４】
前記ＣＱＩ生成手段は、前記下位ビットのビット数を低い階層ほど少なくし、高い階層ほど多くして前記下位ビットを生成する請求項３に記載の無線通信装置。
【請求項５】
前記ＣＱＩ生成手段は、最上位階層以外の各階層について、上位階層においてＣＱＩが生成されたリソースブロックと重複するリソースブロックを除外して、リソースブロックを除外したグループについて、測定された前記受信品質に基づいて、ＣＱＩを生成する請求項１に記載の無線通信装置。
【請求項６】
前記ＣＱＩ生成手段は、最上位階層以外の各階層について、１つ上位の階層においてＣＱＩが生成されたリソースブロックと重複するリソースブロックの受信品質が最も良好な場合、受信品質が最も良好なリソースブロックの次に受信品質が良好なリソースブロックについてＣＱＩを生成する請求項１に記載の無線通信装置。
【請求項７】
最上位階層以外の各階層について、上位階層においてＣＱＩが生成されたリソースブロックと重複するリソースブロックを除外してグループを再編するグループ再編手段を具備し、
前記ＣＱＩ生成手段は、再編されたグループについて、測定された前記受信品質に基づいて、ＣＱＩを生成する請求項１に記載の無線通信装置。
【請求項８】
リソースブロック毎に受信品質を測定する測定工程と、
同数のリソースブロックからなる複数のグループを１つの階層とし、リソースブロック数の多いグループほど低い階層とし、リソースブロック数の少ないグループほど高い階層として階層化したリソースブロックについて、測定された前記受信品質に基づいて、階層毎に報告するＣＱＩを低い階層ほど長い周期で生成し、高い階層ほど短い周期で生成するＣＱＩ生成工程と、
を具備するＣＱＩ生成方法。
【発明の詳細な説明】
【技術分野】
【０００１】
本発明は、無線通信装置及びＣＱＩ生成方法に関する。
【背景技術】
【０００２】
ＣＱＩ（Channel Quality Indicator）はＭＣＳ（Modulation and Coding Scheme）選択等に用いるため、ＵＥ（User Equipment）からＮｏｄｅ Ｂに通知される。ＵＥはＣＱＩを頻繁に報告するとＮｏｄｅ ＢでのＭＣＳ選択の精度は向上するが、上り回線を圧迫してしまう。このため、ＣＱＩの総数を減らすことが検討されている。【０００３】
非特許文献１には、ＲＢ（Resource Block）を階層化し、階層化したＲＢ毎に最大のＣＱＩを通知する方法が記載されている。図１は、ＲＢの階層化を示す図である。図１では、ＲＢ数が１２であり、ＲＢを４階層に分類する場合を示している。第１階層（ｎ＝１）は全ＲＢをグループ化し、第２階層（ｎ＝２）は全ＲＢを３等分し、４ＲＢ毎にグループ化する。また、第３階層（ｎ＝３）は全ＲＢを６等分し、２ＲＢ毎にグループ化し、第４階層（ｎ＝４）は１ＲＢ（ＲＢ単位）毎にグループ化する。【０００４】
ＲＢを階層化した場合のＣＱＩの選択方法について説明する。まず、第１階層では、全ＲＢの平均ＳＩＲに基づいてＣＱＩが選択される。第２階層では、４ＲＢ毎の平均ＳＩＲのうち最大の平均ＳＩＲに基づいてＣＱＩが選択され、同様に、第３階層では、２ＲＢ毎の平均ＳＩＲのうち最大の平均ＳＩＲに基づいてＣＱＩが選択される。第４階層では、ＲＢ毎のＳＩＲのうち最大のＳＩＲに基づいてＣＱＩが選択される。【０００５】
図２に、回線状態と図１に示した階層毎にＣＱＩを報告する様子とを示す。図２において、太い実線はＲＢ単位で報告した場合のＣＱＩレベルを示しており、細い実線（直線）は第１階層（ｎ＝１）で報告するＣＱＩレベルを示している。また、点線は第２階層（ｎ＝２）で報告するＣＱＩレベルを、一点鎖線は第３階層（ｎ＝３）で報告するＣＱＩレベルを、二点鎖線は第４階層（ｎ＝４）で報告するＣＱＩレベルをそれぞれ示している。【０００６】
図１に示したように全ＲＢが１２ＲＢにおいて、ＲＢ毎にＣＱＩ５ビットを報告した場合、６０ビット必要となるのに対して、上述したようにＲＢを階層化し、階層毎にＣＱＩを報告した場合、２０ビットに低減することができる。【０００７】
なお、上述した例では、ＣＱＩの選択基準として平均ＳＩＲ又はＳＩＲの最大値を用いたが、最小値を用いてもよいし、最大値及び最小値を用いてもよい。【０００８】
上述したように階層毎に報告されたＣＱＩは、受信側において、階層の高いＣＱＩが階層の低いＣＱＩに上書きされ、ＲＢ単位のＣＱＩとして認識される。
【非特許文献１】3GPP TSG RAN1#44, R1-060381, “Frequency Domain Scheduling for E-UTRA”, Denver, US, February 13-17, 2006
【発明の開示】
【発明が解決しようとする課題】
【０００９】
しかしながら、低い階層ほど多くのＲＢの影響を受けるため、ＳＩＲの変動の速さ及び大きさが小さいのに対して、高い階層ほど少ないＲＢを反映するため、ＳＩＲの変動の速さ及び大きさが大きい。つまり、階層毎にＳＩＲの変動の速さ及び大きさが異なるため、変化の少ない低い階層について高い階層と同様にＣＱＩを報告することは効率的ではない。【００１０】
本発明の目的は、階層化されたＲＢについて、階層毎にＣＱＩを報告する際、ＣＱＩの総数をさらに低減する無線通信装置及びＣＱＩ生成方法を提供することである。
【課題を解決するための手段】
【００１１】
本発明の無線通信装置は、リソースブロック毎に受信品質を測定する測定手段と、同数のリソースブロックからなる複数のグループを１つの階層とし、リソースブロック数の多いグループほど低い階層とし、リソースブロック数の少ないグループほど高い階層として階層化したリソースブロックについて、測定された前記受信品質に基づいて、階層毎に報告するＣＱＩを低い階層ほど長い周期で生成し、高い階層ほど短い周期で生成するＣＱＩ生成手段と、を具備する構成を採る。【００１２】
本発明のＣＱＩ生成方法は、リソースブロック毎に受信品質を測定する測定工程と、同数のリソースブロックからなる複数のグループを１つの階層とし、リソースブロック数の多いグループほど低い階層とし、リソースブロック数の少ないグループほど高い階層として階層化したリソースブロックについて、測定された前記受信品質に基づいて、階層毎に報告するＣＱＩを低い階層ほど長い周期で生成し、高い階層ほど短い周期で生成するＣＱＩ生成工程と、を具備するようにした。
【発明の効果】
【００１３】
本発明によれば、階層化されたＲＢについて、階層毎にＣＱＩを報告する際、ＣＱＩの総数をさらに低減することができる。
【図面の簡単な説明】
【００１４】
【図１】ＲＢの階層化を示す図
【図２】回線状態と図１に示した階層毎にＣＱＩを報告する様子とを示す図
【図３】本発明の実施の形態１〜５に係るＵＥの構成を示すブロック図
【図４】図３に示したＣＱＩ信号生成部のＣＱＩ報告周期を示す図
【図５】本発明の実施の形態１、４及び６に係るＮｏｄｅ Ｂの構成を示すブロック図
【図６】ＣＱＩ番号用ビット数とＣＱＩ報告周期を示す図
【図７】本発明の実施の形態２に係るＣＱＩとＭＣＳとの対応関係を示す図
【図８】本発明の実施の形態２に係るＣＱＩ報告周期を示す図
【図９】本発明の実施の形態３に係るＣＱＩとＭＣＳとの対応関係を示す図
【図１０】本発明の実施の形態３に係るＣＱＩ報告周期を示す図
【図１１】本発明の実施の形態４に係るＣＱＩ信号生成の動作例を示す図
【図１２Ａ】各階層における最大ＳＩＲとなるグループを示す図
【図１２Ｂ】本発明の実施の形態５に係るＣＱＩ信号生成の動作例を示す図
【図１３】本発明の実施の形態６に係るＵＥの構成を示すブロック図
【図１４】本発明の実施の形態６に係るグループ再編の動作例を示す図
【発明を実施するための最良の形態】
【００１５】
以下、本発明の実施の形態について、図面を参照して詳細に説明する。なお、本実施の形態では、図１に示した階層化を例に説明する。【００１６】
（実施の形態１）
図３は、本発明の実施の形態１に係るＵＥ１００の構成を示すブロック図である。この図において、ＣＰ除去部１０２は、アンテナ１０１を介して受信したパイロット信号からＣＰ（Cyclic Prefix）を除去し、ＣＰを除去したパイロット信号をＦＦＴ部１０３に出力する。【００１７】
ＦＦＴ部１０３は、ＣＰ除去部１０２から出力されたパイロット信号にＦＦＴ（Fast Fourier Transform）処理を施し、時間領域の信号を周波数領域の信号に変換し、ＳＩＲ測定部１０４に出力する。【００１８】
ＳＩＲ測定部１０４は、ＦＦＴ部１０３から出力されたパイロット信号のＳＩＲをＲＢ毎に測定し、測定したＳＩＲを最大値選択部１０５に出力する。【００１９】
最大値選択部１０５は、ＳＩＲ測定部１０４から出力されたＳＩＲのＲＢグループ毎の平均値を算出し、算出した平均値のうち階層毎の最大値を選択する。選択された最大平均ＳＩＲ及びＲＢグループ番号は階層毎にＣＱＩ信号生成部１０６に出力される。【００２０】
ＣＱＩ信号生成部１０６は、最大値選択部１０５から出力された階層毎の最大平均ＳＩＲ及びＲＢグループ番号に基づいて、階層毎に異なる周期でＣＱＩ信号を生成し、生成したＣＱＩ信号をアンテナ１０１から送信する。なお、ＣＱＩ信号には、ＣＱＩレベル、階層識別子、ＲＢグループ番号が含まれる。【００２１】
図４は、図３に示したＣＱＩ信号生成部１０６のＣＱＩ報告周期を示す図である。この図では、４階層（ｎ＝１〜４）のそれぞれについてＣＱＩ報告周期を示している。すなわち、第１階層（ｎ＝１）のＣＱＩは８ｍｓｅｃ毎に報告し、第２階層（ｎ＝２）のＣＱＩは４ｍｓｅｃ毎に報告する。同様に、第３階層（ｎ＝３）のＣＱＩは２ｍｓｅｃ毎に、第４階層（ｎ＝４）のＣＱＩは０．５ｍｓｅｃ毎に報告する。なお、図４において、ＣＱＩ番号用ビット数は各階層とも５ビットとし、また、階層毎に平均化されるＲＢ数が異なるので、ＲＢ番号用ビット数も階層毎に異なるものとする。【００２２】
このように、高い階層ほど報告周期を短くすることにより、ＳＩＲの最大値（又は最小値）の変動の速さに追従することができる。一方、低い階層ほど報告周期を長くすることにより、ＳＩＲの最大値（又は最小値）の変動の速さに追従しつつ、ＣＱＩの総数を低減することができる。【００２３】
図５は、本発明の実施の形態１に係るＮｏｄｅ Ｂ２００の構成を示すブロック図である。この図において、ＣＱＩ信号分離部２０２は、アンテナ２０１を介して受信したＣＱＩ信号を階層毎に分離し、階層毎に分離したＣＱＩ信号をＭＣＳ生成部２０３に出力する。【００２４】
ＭＣＳ生成部２０３は、ＣＱＩ信号分離部２０２から出力されたＣＱＩ信号のうち、下位階層のＣＱＩに上位階層のＣＱＩを上書きする。また、ＭＣＳ生成部２０３は、ＲＢ毎のＣＱＩに基づいて、ＲＢ毎にＭＣＳを生成し、生成したＭＣＳを下り信号生成部２０４に出力する。【００２５】
下り信号生成部２０４は、ＭＣＳ生成部２０３から出力されたＲＢ毎のＭＣＳに従って下り信号を生成し、生成した下り信号をパイロット多重部２０５に出力する。【００２６】
パイロット多重部２０５は、下り信号生成部２０４から出力された下り信号にパイロット信号を多重し、多重した信号をＩＦＦＴ部２０６に出力する。【００２７】
ＩＦＦＴ部２０６は、パイロット多重部２０５から出力された信号にＩＦＦＴ（Inverse Fast Fourier Transform）処理を施し、周波数領域の信号から時間領域の信号に変換し、ＣＰ挿入部２０７に出力する。【００２８】
ＣＰ挿入部２０７は、ＩＦＦＴ部２０６から出力された信号にＣＰを挿入し、ＣＰを挿入した信号をアンテナ２０１から送信する。【００２９】
このように実施の形態１によれば、同数のＲＢからなる複数のＲＢグループを１つの階層とし、多くのＲＢ数を含むＲＢグループからなる階層を低い階層とし、少ないＲＢを含むＲＢグループからなる階層を高い階層とする。そして、階層化したＲＢについて、階層毎に報告するＣＱＩを高い階層ほど短い周期で報告し、低い階層ほど長い周期で報告することにより、ＳＩＲの変動の速さに応じたＣＱＩを報告することができると共に、ＣＱＩの総数を低減することができる。【００３０】
なお、図６に示すように、ＣＱＩ番号用ビット数を第１階層（ｎ＝１）では２ビットとし、第２階層（ｎ＝２）では３ビットとし、第３階層（ｎ＝３）では４ビット、第４階層（ｎ＝４）では５ビットとしてもよい。このように、高い階層ほどＣＱＩ番号用ビット数を多くすることにより、ＳＩＲの最大値（又は最小値）の変動に追従することができる。【００３１】
（実施の形態２）
本発明の実施の形態２に係るＵＥの構成は、実施の形態１の図３に示した構成と同様であるので図３を援用して説明する。【００３２】
図７は、本発明の実施の形態２に係るＣＱＩとＭＣＳとの対応関係を示す図である。この図では、ＣＱＩを２４レベルとし、この２４レベルを４レベルごとに６つにグループ分けし、このグループを上位ＣＱＩの６レベル（上位ビット３ビット）によって表している。また、各グループ内の４つのレベルを下位ＣＱＩの４レベル（下位ビット２ビット）によって特定することを示している。【００３３】
また、図８は、本発明の実施の形態２に係るＣＱＩ報告周期を示す図である。この図では、図７に示した上位ビットの報告周期は第１〜第４階層（ｎ＝１〜４）の全ての階層で８ｍｓｅｃとする。一方、図７に示した下位ビットの報告周期は第１階層で８ｍｓｅｃ、第２階層（ｎ＝２）で４ｍｓｅｃ、第３階層（ｎ＝３）で２ｍｓｅｃ、第４階層（ｎ＝４）で０．５ｍｓｅｃとする。【００３４】
ここで、例えば、各階層でＣＱＩ＝１０を通知する場合、第１階層（ｎ＝１）では、８ｍｓｅｃ毎に上位ビットで“３”と下位ビットで“２”が通知される。また、第２階層（ｎ＝２）では、８ｍｓｅｃ毎に上位ビットで“３”が通知され、４ｍｓｅｃ毎に下位ビットで“２”が通知される。また、第３階層（ｎ＝３）では、８ｍｓｅｃ毎に上位ビットで“３”が通知され、２ｍｓｅｃ毎に下位ビットで“２”が通知される。さらに、第４階層（ｎ＝４）では、８ｍｓｅｃ毎に上位ビットで“３”が通知され、０．５ｍｓｅｃ毎に下位ビットで“２”が通知される。【００３５】
このように実施の形態２によれば、ＣＱＩをレベル毎にグループ分けし、グループを示す上位ビットとグループ内のＣＱＩを特定する下位ビットとを設け、階層毎に報告するＣＱＩを上位ビット及び下位ビットを用いて報告する。このとき、下位ビットは低い階層ほど長い周期で報告し、上位ビットは下位ビットで最も長い周期で全ての階層について報告することにより、ＣＱＩの総数をさらに低減することができる。【００３６】
（実施の形態３）
本発明の実施の形態３に係るＵＥの構成は、実施の形態１の図３に示した構成と同様であるので図３を援用して説明する。【００３７】
図９は、本発明の実施の形態３に係るＣＱＩとＭＣＳとの対応関係を示す図である。この図では、ＣＱＩを２４レベルとし、この２４レベルを４レベルごとに６つにグループ分けし、このグループを上位ＣＱＩの６レベル（上位ビット３ビット）によって表している。また、各グループ内の４つのレベルを中位ＣＱＩの２レベル（下位１ビット）ごとに分け、さらに、中位ＣＱＩの２レベルを下位ＣＱＩの４レベル（下位２ビット）によって特定することを示している。【００３８】
また、図１０は、本発明の実施の形態３に係るＣＱＩ報告周期を示す図である。この図では、図９に示した上位ビットの報告周期は第１〜第４階層（ｎ＝１〜４）の全ての階層で８ｍｓｅｃとする。一方、図９に示した下位ビットの報告周期は第１階層で８ｍｓｅｃ、第２階層（ｎ＝２）で４ｍｓｅｃ、第３階層（ｎ＝３）で２ｍｓｅｃ、第４階層（ｎ＝４）で０．５ｍｓｅｃとする。【００３９】
ここで、例えば、各階層でＣＱＩ＝１５を通知する場合、第１階層（ｎ＝１）では、８ｍｓｅｃ毎に上位ビットで“４”が通知される。また、第２階層（ｎ＝２）では、８ｍｓｅｃ毎に上位ビットで“４”が通知され、４ｍｓｅｃ毎に下位１ビットで“２”が通知される。また、第３階層（ｎ＝３）では、８ｍｓｅｃ毎に上位ビットで“４”が通知され、２ｍｓｅｃ毎に下位１ビットで“２”が通知される。さらに、第４階層（ｎ＝４）では、８ｍｓｅｃ毎に上位ビットで“４”が通知され、０．５ｍｓｅｃ毎に下位２ビットで“３”が通知される。【００４０】
このように実施の形態３によれば、ＣＱＩをレベル毎にグループ分けし、グループを示す上位ビットとグループ内のＣＱＩをレベル分けした下位１ビットと、ＣＱＩを特定する下位２ビットとを設ける。そして、階層毎に報告するＣＱＩを上位ビット、下位１ビット及び下位２ビットを用いて報告し、低い階層ほど下位ビット数を低減することにより、ＣＱＩの総数をさらに低減することができる。【００４１】
（実施の形態４）
本発明の実施の形態４に係るＵＥの構成は、実施の形態１の図３に示した構成と同様であり、その機能が一部異なるのみなので図３を援用し、実施の形態１とは異なる機能を有する部分について説明する。【００４２】
図３において、最大値選択部１０５は、ＳＩＲ測定部１０４から出力されたＳＩＲのＲＢグループ毎の平均値を算出し、算出した平均値のうち階層毎の最大値を選択する。このとき、上位階層においてＳＩＲが最大として選択されたＲＢグループと重複する場合、上位階層と重複した部分を除外してＳＩＲの平均値を算出し直す。最大値選択部１０５は、算出し直した平均ＳＩＲをＣＱＩ信号生成部１０６に出力する。ただし、上位階層と重複した部分についてのＳＩＲは出力しない。【００４３】
図１１は、本発明の実施の形態４に係るＣＱＩ信号生成の動作例を示す図である。この図では、第４階層（ｎ＝４）では第３グループのＳＩＲが最大であり、第３階層（ｎ＝３）では第６グループのＳＩＲが最大であり、さらに、第２階層（ｎ＝２）では第３グループのＳＩＲが最大であるとする。【００４４】
このとき、第２階層において平均ＳＩＲが最大となる第３グループは、上位階層である第３階層においてＳＩＲが最大として選択された第６グループと重複するＲＢが生じている。同様に、第１階層においては、第２〜第４階層において選択された全てのＲＢグループと重複するＲＢ部分が生じている。【００４５】
ところで、重複したＲＢについてＣＱＩが報告されたＮｏｄｅ Ｂでは、下位階層のＣＱＩに上位階層のＣＱＩを上書きするため、上位階層のＣＱＩと重複した下位階層のＣＱＩは使用されないことになる。そのため、ここでは、第２階層において平均ＳＩＲが最大となる第３グループでは、第３階層において選択された第６グループと重複するＲＢ部分を除き、再度、ＳＩＲ平均値が算出され、算出されたＳＩＲに対応するＣＱＩ信号が生成される。同様に、第１階層では、第４階層において選択された第３グループ、第３階層において選択された第６グループ及び第２階層において選択された第３グループと重複するＲＢ部分を除き、再度、ＳＩＲ平均値が算出され、算出されたＳＩＲに対応するＣＱＩ信号が生成される。【００４６】
これにより、平均化の対象とするＲＢ数を削減することができるので、実際の回線状態をより反映したＣＱＩを生成することができるので、第２階層及び第１階層において通知するＣＱＩの精度を向上させることができる。【００４７】
本発明の実施の形態４に係るＮｏｄｅ Ｂの構成は、実施の形態１の図５に示した構成と同様であり、その機能が一部異なるのみなので図５を援用し、実施の形態１とは異なる機能を有する部分について説明する。【００４８】
図５において、ＭＣＳ生成部２０３は、ＣＱＩ信号分離部２０２から出力されたＣＱＩ信号が上位階層のＣＱＩ報告対象となったＲＢグループと重複するか否かを判定する。重複する場合には、報告されたＣＱＩが上位階層において報告されていない部分のＣＱＩとして認識される。重複しない場合には、報告されたＣＱＩを報告対象となったＲＢグループのＣＱＩとして認識する。ＭＣＳ生成部２０３は、認識したＣＱＩに基づいて、ＲＢ毎にＭＣＳを生成し、生成したＭＣＳを下り信号生成部２０４に出力する。【００４９】
このように実施の形態４によれば、ある階層の平均ＳＩＲが最大となるＲＢグループが、上位階層においてＣＱＩ報告対象として選択されたＲＢグループと重複する部分を有する場合、該階層のＲＢグループの重複部分を除いた部分について再度、平均ＳＩＲを算出する。そして、算出した平均ＳＩＲに対応するＣＱＩ信号を生成することにより、上位階層との重複部分以外のＲＢについてＣＱＩの精度を向上させることができる。【００５０】
（実施の形態５）
本発明の実施の形態５に係るＵＥの構成は、実施の形態１の図３に示した構成と同様であり、その機能が一部異なるのみなので図３を援用し、実施の形態１とは異なる機能を有する部分について説明する。【００５１】
図３において、最大値選択部１０５は、ＳＩＲ測定部１０４から出力されたＳＩＲのＲＢグループ毎の平均値を算出し、算出した平均値が最大となるＲＢグループを階層毎に選択する。このとき、ある階層において平均ＳＩＲが最大として選択されたＲＢグループと、１つ上の階層において選択されたＲＢグループとが重複する場合、１つ上の階層と重複した該階層におけるＲＢグループを除外する。最大値選択部１０５は、重複したグループを除外した該階層においてＳＩＲが最大となるＲＢグループを選択する。すなわち、重複したＲＢグループを除外する前の該階層においてＳＩＲが２番目に大きいＲＢグループを選択し、選択した２番目に大きいＳＩＲをＣＱＩ信号生成部１０６に出力する。【００５２】
図１２Ａは、各階層における最大ＳＩＲとなるグループを示す図であり、図１２Ｂは、本発明の実施の形態５に係るＣＱＩ信号生成の動作例を示す図である。図１２Ａに示すように、第４階層（ｎ＝４）では第１１グループのＳＩＲが最大であり、第３階層（ｎ＝３）では第６グループのＳＩＲが最大であり、さらに、第２階層（ｎ＝２）では第３グループのＳＩＲが最大であるとする。【００５３】
このとき、第３階層においてＳＩＲが最大として選択された第６グループは、１つ上の階層である第４階層においてＳＩＲが最大として選択された第１１グループと重複するＲＢが生じている。そこで、図１２Ｂに示すように、第３階層においてＳＩＲが２番目に大きい第２グループをＣＱＩ報告対象とし、２番目に大きいＳＩＲに対応するＣＱＩ信号を生成する。【００５４】
図１２Ａ及び図１２Ｂの例では、第３階層のＣＱＩ報告対象を第６グループから第２グループに変更したことにより、第２階層においてＳＩＲが最大として選択された第３グループは、１つ上の階層（第３階層）において選択されたＲＢグループと重複しなくなるので、第２階層では第３グループをＣＱＩ報告対象とする。ただし、第１階層では、１つ上の階層において選択されたＲＢグループと必ず重複するが、１つのＲＢグループしか存在しないので、ＳＩＲが２番目に大きいＲＢグループは存在せず、報告対象の変更は行えない。【００５５】
このように実施の形態５によれば、ある階層のＳＩＲが最大となるＲＢグループが、１つ上の階層においてＣＱＩ報告対象として選択されたＲＢグループと重複する部分を有する場合、該階層においてＳＩＲが２番目に大きいＲＢグループのＣＱＩ信号を生成することにより、重複して通知するＣＱＩを削減することができ、また、ＣＱＩの報告ビット数を維持したままＣＱＩの精度を向上させることができる。【００５６】
（実施の形態６）
図１３は、本発明の実施の形態６に係るＵＥ３００の構成を示すブロック図である。図１３が図３と共通する部分には図３と同一の符号を付し、重複する説明は省略する。図１３が図３と異なる点は、最大値選択部１０５をグループ再編部３０１に変更した点である。【００５７】
図１３において、グループ再編部３０１は、ＳＩＲ測定部１０４から出力されたＳＩＲに基づいて、第２及び第３階層のＲＢグループを再編する。具体的には、グループ再編部３０１は、まず、第４階層においてＳＩＲが最大となるＲＢグループを選択し、選択したＲＢグループに対応する第３階層の部分を除外してＲＢグループを再編する。再編した第３階層においてＳＩＲが最大となるＲＢグループを選択する。さらに、第２階層では、第４及び第３階層において選択されたＲＢグループを除外してＲＢグループを再編し、再編したＲＢグループのうちＳＩＲが最大となるＲＢグループを選択する。グループ再編部３０１は、各階層について選択したＲＢグループ番号及びそのＳＩＲをＣＱＩ信号生成部１０６に出力する。【００５８】
図１４は、本発明の実施の形態６に係るグループ再編の動作例を示す図である。ここでも、グループ再編前は、図１２Ａに示すように、第４階層（ｎ＝４）では第１１グループのＳＩＲが最大であり、第３階層（ｎ＝３）では第６グループのＳＩＲが最大であり、さらに、第２階層（ｎ＝２）では第３グループのＳＩＲが最大であるとする。【００５９】
このとき、第４階層では第１１グループが選択され、第３階層では第４階層において選択された第１１グループと重複する部分を除外してＲＢグループが再編される。図１４の場合、再編された第３階層は、第４階層の第１０及び第１２グループに対応する部分を第６’グループとし、第４階層の第８及び第９グループに対応する部分を第５’グループとして、以下、同様にしてＲＢグループが再編される。【００６０】
続いて、再編された第３階層では第６’グループが選択され、第２階層では第４階層において選択された第１１グループと重複する部分及び第３階層において選択された第６’グループと重複する部分をそれぞれ除外してＲＢグループが再編される。図１４の場合、再編された第２階層は、第３階層の第４’及び第５’グループに対応する部分を第３’グループとし、第３階層の第２’及び第３’グループに対応する部分を第２’グループとし、第３階層の第１’グループに対応する部分を第１’グループとする。【００６１】
このように再編された第２階層では、第２’グループが選択される。なお、第１階層では、第４階層において選択された第１１グループ、第３階層において選択された第６’グループ及び第２階層において選択された第２’グループと重複する部分を除外したＲＢがＣＱＩ報告対象となる。すなわち、このＣＱＩ報告対象であるＲＢの平均ＳＩＲに対応するＣＱＩ信号が生成されることになる。【００６２】
本発明の実施の形態６に係るＮｏｄｅ Ｂの構成は、実施の形態１の図５に示した構成と同様であり、その機能が一部異なるのみなので図５を援用し、実施の形態１とは異なる機能を有する部分について説明する。【００６３】
図５において、ＭＣＳ生成部２０３は、ＣＱＩ信号分離部２０２から出力されたＣＱＩ信号に基づいて、ＵＥ３００において再編された各階層のＲＢグループを認識する。具体的には、ＵＥ３００における再編の規則と同様に、第３階層では、第４階層においてＣＱＩが報告されたＲＢグループを除外して再編されたＲＢグループを認識する。第２階層では、再編された第３階層においてＣＱＩが報告されたＲＢグループを除外して再編されたグループを認識する。このように、ＭＣＳ生成部２０３は、再編されたＲＢグループについて報告されたＣＱＩに基づいて、ＲＢ毎にＭＣＳを生成する。【００６４】
このように実施の形態６によれば、上位階層においてＣＱＩ報告対象として選択されたＲＢグループと重複する部分を除外してＲＢグループを再編し、再編したＲＢグループについてＣＱＩ信号を生成することにより、上位階層との重複部分以外のＲＢについてＣＱＩの精度を向上させることができる。【００６５】
なお、上記各実施の形態では、ＲＢの階層化を４階層とする場合について説明したが、本発明はこれに限らず、３階層以上であればよい。また、ＲＢ数を１２とする場合について説明したが、これに限るものでもない。【００６６】
また、上記各実施の形態では、ＲＢを階層化した場合について説明したが、本発明はこれに限らず、ＲＢの組み合わせを示す異なるフォーマットでもよい。【００６７】
なお、上記各実施の形態では、本発明をハードウェアで構成する場合を例にとって説明したが、本発明はソフトウェアで実現することも可能である。【００６８】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００６９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【００７０】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。【００７１】
２００６年６月２６日出願の特願２００６−１７５８１９及び２００６年１１月２９日出願の特願２００６−３２２３４７の日本出願に含まれる明細書、図面および要約書の開示内容は、すべて本願に援用される。
【産業上の利用可能性】
【００７２】
本発明にかかる無線通信装置及びＣＱＩ生成方法は、階層化されたＲＢについて、階層毎にＣＱＩを報告する際、ＣＱＩの総数をさらに低減することができ、3GPPに代表される移動通信システム等に適用できる。
【図１】
2008001727.tif 000003
【図２】
2008001727.tif 000004
【図３】
2008001727.tif 000005
【図４】
2008001727.tif 000006
【図５】
2008001727.tif 000007
【図６】
2008001727.tif 000008
【図７】
2008001727.tif 000009
【図８】
2008001727.tif 000010
【図９】
2008001727.tif 000011
【図１０】
2008001727.tif 000012
【図１１】
2008001727.tif 000013
【図１２Ａ】
2008001727.tif 000014
【図１２Ｂ】
2008001727.tif 000015
【図１３】
2008001727.tif 000016
【図１４】
2008001727.tif 000017
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
リソースブロック毎に受信品質を測定する測定手段と、
同数のリソースブロックからなる複数のグループを１つの階層とし、リソースブロック数の多いグループほど低い階層とし、リソースブロック数の少ないグループほど高い階層として階層化したリソースブロックについて、測定された前記受信品質に基づいて、階層毎に報告するＣＱＩを低い階層ほど長い周期で生成し、高い階層ほど短い周期で生成するＣＱＩ生成手段と、
を具備する無線通信装置。
【請求項２】
前記ＣＱＩ生成手段は、前記ＣＱＩの割り当てビット数を低い階層ほど少なくし、高い階層ほど多くして前記ＣＱＩを生成する請求項１に記載の無線通信装置。
【請求項３】
前記ＣＱＩ生成手段は、レベル毎にグループ分けされたＣＱＩを、グループを示す上位ビットとグループ内のＣＱＩを特定する下位ビットとを用いて表す場合、下位ビットを低い階層ほど長い周期で生成し、高い階層ほど短い周期で生成する請求項１に記載の無線通信装置。
【請求項４】
前記ＣＱＩ生成手段は、前記下位ビットのビット数を低い階層ほど少なくし、高い階層ほど多くして前記下位ビットを生成する請求項３に記載の無線通信装置。
【請求項５】
前記ＣＱＩ生成手段は、最上位階層以外の各階層について、上位階層においてＣＱＩが生成されたリソースブロックと重複するリソースブロックを除外して、リソースブロックを除外したグループについて、測定された前記受信品質に基づいて、ＣＱＩを生成する請求項１に記載の無線通信装置。
【請求項６】
前記ＣＱＩ生成手段は、最上位階層以外の各階層について、１つ上位の階層においてＣＱＩが生成されたリソースブロックと重複するリソースブロックの受信品質が最も良好な場合、受信品質が最も良好なリソースブロックの次に受信品質が良好なリソースブロックについてＣＱＩを生成する請求項１に記載の無線通信装置。
【請求項７】
最上位階層以外の各階層について、上位階層においてＣＱＩが生成されたリソースブロックと重複するリソースブロックを除外してグループを再編するグループ再編手段を具備し、
前記ＣＱＩ生成手段は、再編されたグループについて、測定された前記受信品質に基づいて、ＣＱＩを生成する請求項１に記載の無線通信装置。
【請求項８】
リソースブロック毎に受信品質を測定する測定工程と、
同数のリソースブロックからなる複数のグループを１つの階層とし、リソースブロック数の多いグループほど低い階層とし、リソースブロック数の少ないグループほど高い階層として階層化したリソースブロックについて、測定された前記受信品質に基づいて、階層毎に報告するＣＱＩを低い階層ほど長い周期で生成し、高い階層ほど短い周期で生成するＣＱＩ生成工程と、
を具備するＣＱＩ生成方法。
【手続補正２】
【補正対象書類名】明細書
【補正対象項目名】全文
【補正方法】変更
【補正の内容】
【発明の詳細な説明】
【技術分野】
【０００１】
本発明は、無線通信装置及びＣＱＩ生成方法に関する。
【背景技術】
【０００２】
ＣＱＩ（Channel Quality Indicator）はＭＣＳ（Modulation and Coding Scheme）選択等に用いるため、ＵＥ（User Equipment）からＮｏｄｅ Ｂに通知される。ＵＥはＣＱＩを頻繁に報告するとＮｏｄｅ ＢでのＭＣＳ選択の精度は向上するが、上り回線を圧迫してしまう。このため、ＣＱＩの総数を減らすことが検討されている。
【０００３】
非特許文献１には、ＲＢ（Resource Block）を階層化し、階層化したＲＢ毎に最大のＣＱＩを通知する方法が記載されている。図１は、ＲＢの階層化を示す図である。図１では、ＲＢ数が１２であり、ＲＢを４階層に分類する場合を示している。第１階層（ｎ＝１）は全ＲＢをグループ化し、第２階層（ｎ＝２）は全ＲＢを３等分し、４ＲＢ毎にグループ化する。また、第３階層（ｎ＝３）は全ＲＢを６等分し、２ＲＢ毎にグループ化し、第４階層（ｎ＝４）は１ＲＢ（ＲＢ単位）毎にグループ化する。
【０００４】
ＲＢを階層化した場合のＣＱＩの選択方法について説明する。まず、第１階層では、全ＲＢの平均ＳＩＲに基づいてＣＱＩが選択される。第２階層では、４ＲＢ毎の平均ＳＩＲのうち最大の平均ＳＩＲに基づいてＣＱＩが選択され、同様に、第３階層では、２ＲＢ毎の平均ＳＩＲのうち最大の平均ＳＩＲに基づいてＣＱＩが選択される。第４階層では、ＲＢ毎のＳＩＲのうち最大のＳＩＲに基づいてＣＱＩが選択される。
【０００５】
図２に、回線状態と図１に示した階層毎にＣＱＩを報告する様子とを示す。図２において、太い実線はＲＢ単位で報告した場合のＣＱＩレベルを示しており、細い実線（直線）は第１階層（ｎ＝１）で報告するＣＱＩレベルを示している。また、点線は第２階層（ｎ＝２）で報告するＣＱＩレベルを、一点鎖線は第３階層（ｎ＝３）で報告するＣＱＩレベルを、二点鎖線は第４階層（ｎ＝４）で報告するＣＱＩレベルをそれぞれ示している。
【０００６】
図１に示したように全ＲＢが１２ＲＢにおいて、ＲＢ毎にＣＱＩ５ビットを報告した場合、６０ビット必要となるのに対して、上述したようにＲＢを階層化し、階層毎にＣＱＩを報告した場合、２０ビットに低減することができる。
【０００７】
なお、上述した例では、ＣＱＩの選択基準として平均ＳＩＲ又はＳＩＲの最大値を用いたが、最小値を用いてもよいし、最大値及び最小値を用いてもよい。
【０００８】
上述したように階層毎に報告されたＣＱＩは、受信側において、階層の高いＣＱＩが階層の低いＣＱＩに上書きされ、ＲＢ単位のＣＱＩとして認識される。
【非特許文献１】3GPP TSG RAN1#44, R1-060381, “Frequency Domain Scheduling for E-UTRA”, Denver, US, February 13-17, 2006
【発明の開示】
【発明が解決しようとする課題】
【０００９】
しかしながら、低い階層ほど多くのＲＢの影響を受けるため、ＳＩＲの変動の速さ及び大きさが小さいのに対して、高い階層ほど少ないＲＢを反映するため、ＳＩＲの変動の速さ及び大きさが大きい。つまり、階層毎にＳＩＲの変動の速さ及び大きさが異なるため、変化の少ない低い階層について高い階層と同様にＣＱＩを報告することは効率的ではない。
【００１０】
本発明の目的は、階層化されたＲＢについて、階層毎にＣＱＩを報告する際、ＣＱＩの総数をさらに低減する無線通信装置及びＣＱＩ生成方法を提供することである。
【課題を解決するための手段】
【００１１】
本発明の無線通信装置は、リソースブロック毎に受信品質を測定する測定手段と、同数のリソースブロックからなる複数のグループを１つの階層とし、リソースブロック数の多いグループほど低い階層とし、リソースブロック数の少ないグループほど高い階層として階層化したリソースブロックについて、測定された前記受信品質に基づいて、階層毎に報告するＣＱＩを低い階層ほど長い周期で生成し、高い階層ほど短い周期で生成するＣＱＩ生成手段と、を具備する構成を採る。
【００１２】
本発明のＣＱＩ生成方法は、リソースブロック毎に受信品質を測定する測定工程と、同数のリソースブロックからなる複数のグループを１つの階層とし、リソースブロック数の多いグループほど低い階層とし、リソースブロック数の少ないグループほど高い階層として階層化したリソースブロックについて、測定された前記受信品質に基づいて、階層毎に報告するＣＱＩを低い階層ほど長い周期で生成し、高い階層ほど短い周期で生成するＣＱＩ生成工程と、を具備するようにした。
【発明の効果】
【００１３】
本発明によれば、階層化されたＲＢについて、階層毎にＣＱＩを報告する際、ＣＱＩの総数をさらに低減することができる。
【発明を実施するための最良の形態】
【００１４】
以下、本発明の実施の形態について、図面を参照して詳細に説明する。なお、本実施の形態では、図１に示した階層化を例に説明する。
【００１５】
（実施の形態１）
図３は、本発明の実施の形態１に係るＵＥ１００の構成を示すブロック図である。この図において、ＣＰ除去部１０２は、アンテナ１０１を介して受信したパイロット信号からＣＰ（Cyclic Prefix）を除去し、ＣＰを除去したパイロット信号をＦＦＴ部１０３に出力する。
【００１６】
ＦＦＴ部１０３は、ＣＰ除去部１０２から出力されたパイロット信号にＦＦＴ（Fast Fourier Transform）処理を施し、時間領域の信号を周波数領域の信号に変換し、ＳＩＲ測定部１０４に出力する。
【００１７】
ＳＩＲ測定部１０４は、ＦＦＴ部１０３から出力されたパイロット信号のＳＩＲをＲＢ毎に測定し、測定したＳＩＲを最大値選択部１０５に出力する。
【００１８】
最大値選択部１０５は、ＳＩＲ測定部１０４から出力されたＳＩＲのＲＢグループ毎の平均値を算出し、算出した平均値のうち階層毎の最大値を選択する。選択された最大平均ＳＩＲ及びＲＢグループ番号は階層毎にＣＱＩ信号生成部１０６に出力される。
【００１９】
ＣＱＩ信号生成部１０６は、最大値選択部１０５から出力された階層毎の最大平均ＳＩＲ及びＲＢグループ番号に基づいて、階層毎に異なる周期でＣＱＩ信号を生成し、生成したＣＱＩ信号をアンテナ１０１から送信する。なお、ＣＱＩ信号には、ＣＱＩレベル、階層識別子、ＲＢグループ番号が含まれる。
【００２０】
図４は、図３に示したＣＱＩ信号生成部１０６のＣＱＩ報告周期を示す図である。この図では、４階層（ｎ＝１〜４）のそれぞれについてＣＱＩ報告周期を示している。すなわち、第１階層（ｎ＝１）のＣＱＩは８ｍｓｅｃ毎に報告し、第２階層（ｎ＝２）のＣＱＩは４ｍｓｅｃ毎に報告する。同様に、第３階層（ｎ＝３）のＣＱＩは２ｍｓｅｃ毎に、第４階層（ｎ＝４）のＣＱＩは０．５ｍｓｅｃ毎に報告する。なお、図４において、ＣＱＩ番号用ビット数は各階層とも５ビットとし、また、階層毎に平均化されるＲＢ数が異なるので、ＲＢ番号用ビット数も階層毎に異なるものとする。
【００２１】
このように、高い階層ほど報告周期を短くすることにより、ＳＩＲの最大値（又は最小値）の変動の速さに追従することができる。一方、低い階層ほど報告周期を長くすることにより、ＳＩＲの最大値（又は最小値）の変動の速さに追従しつつ、ＣＱＩの総数を低減することができる。
【００２２】
図５は、本発明の実施の形態１に係るＮｏｄｅ Ｂ２００の構成を示すブロック図である。この図において、ＣＱＩ信号分離部２０２は、アンテナ２０１を介して受信したＣＱＩ信号を階層毎に分離し、階層毎に分離したＣＱＩ信号をＭＣＳ生成部２０３に出力する。
【００２３】
ＭＣＳ生成部２０３は、ＣＱＩ信号分離部２０２から出力されたＣＱＩ信号のうち、下位階層のＣＱＩに上位階層のＣＱＩを上書きする。また、ＭＣＳ生成部２０３は、ＲＢ毎のＣＱＩに基づいて、ＲＢ毎にＭＣＳを生成し、生成したＭＣＳを下り信号生成部２０４に出力する。
【００２４】
下り信号生成部２０４は、ＭＣＳ生成部２０３から出力されたＲＢ毎のＭＣＳに従って下り信号を生成し、生成した下り信号をパイロット多重部２０５に出力する。
【００２５】
パイロット多重部２０５は、下り信号生成部２０４から出力された下り信号にパイロット信号を多重し、多重した信号をＩＦＦＴ部２０６に出力する。
【００２６】
ＩＦＦＴ部２０６は、パイロット多重部２０５から出力された信号にＩＦＦＴ（Inverse Fast Fourier Transform）処理を施し、周波数領域の信号から時間領域の信号に変換し、ＣＰ挿入部２０７に出力する。
【００２７】
ＣＰ挿入部２０７は、ＩＦＦＴ部２０６から出力された信号にＣＰを挿入し、ＣＰを挿
入した信号をアンテナ２０１から送信する。
【００２８】
このように実施の形態１によれば、同数のＲＢからなる複数のＲＢグループを１つの階層とし、多くのＲＢ数を含むＲＢグループからなる階層を低い階層とし、少ないＲＢを含むＲＢグループからなる階層を高い階層とする。そして、階層化したＲＢについて、階層毎に報告するＣＱＩを高い階層ほど短い周期で報告し、低い階層ほど長い周期で報告することにより、ＳＩＲの変動の速さに応じたＣＱＩを報告することができると共に、ＣＱＩの総数を低減することができる。
【００２９】
なお、図６に示すように、ＣＱＩ番号用ビット数を第１階層（ｎ＝１）では２ビットとし、第２階層（ｎ＝２）では３ビットとし、第３階層（ｎ＝３）では４ビット、第４階層（ｎ＝４）では５ビットとしてもよい。このように、高い階層ほどＣＱＩ番号用ビット数を多くすることにより、ＳＩＲの最大値（又は最小値）の変動に追従することができる。
【００３０】
（実施の形態２）
本発明の実施の形態２に係るＵＥの構成は、実施の形態１の図３に示した構成と同様であるので図３を援用して説明する。
【００３１】
図７は、本発明の実施の形態２に係るＣＱＩとＭＣＳとの対応関係を示す図である。この図では、ＣＱＩを２４レベルとし、この２４レベルを４レベルごとに６つにグループ分けし、このグループを上位ＣＱＩの６レベル（上位ビット３ビット）によって表している。また、各グループ内の４つのレベルを下位ＣＱＩの４レベル（下位ビット２ビット）によって特定することを示している。
【００３２】
また、図８は、本発明の実施の形態２に係るＣＱＩ報告周期を示す図である。この図では、図７に示した上位ビットの報告周期は第１〜第４階層（ｎ＝１〜４）の全ての階層で８ｍｓｅｃとする。一方、図７に示した下位ビットの報告周期は第１階層で８ｍｓｅｃ、第２階層（ｎ＝２）で４ｍｓｅｃ、第３階層（ｎ＝３）で２ｍｓｅｃ、第４階層（ｎ＝４）で０．５ｍｓｅｃとする。
【００３３】
ここで、例えば、各階層でＣＱＩ＝１０を通知する場合、第１階層（ｎ＝１）では、８ｍｓｅｃ毎に上位ビットで“３”と下位ビットで“２”が通知される。また、第２階層（ｎ＝２）では、８ｍｓｅｃ毎に上位ビットで“３”が通知され、４ｍｓｅｃ毎に下位ビットで“２”が通知される。また、第３階層（ｎ＝３）では、８ｍｓｅｃ毎に上位ビットで“３”が通知され、２ｍｓｅｃ毎に下位ビットで“２”が通知される。さらに、第４階層（ｎ＝４）では、８ｍｓｅｃ毎に上位ビットで“３”が通知され、０．５ｍｓｅｃ毎に下位ビットで“２”が通知される。
【００３４】
このように実施の形態２によれば、ＣＱＩをレベル毎にグループ分けし、グループを示す上位ビットとグループ内のＣＱＩを特定する下位ビットとを設け、階層毎に報告するＣＱＩを上位ビット及び下位ビットを用いて報告する。このとき、下位ビットは低い階層ほど長い周期で報告し、上位ビットは下位ビットで最も長い周期で全ての階層について報告することにより、ＣＱＩの総数をさらに低減することができる。
【００３５】
（実施の形態３）
本発明の実施の形態３に係るＵＥの構成は、実施の形態１の図３に示した構成と同様であるので図３を援用して説明する。
【００３６】
図９は、本発明の実施の形態３に係るＣＱＩとＭＣＳとの対応関係を示す図である。この図では、ＣＱＩを２４レベルとし、この２４レベルを４レベルごとに６つにグループ分
けし、このグループを上位ＣＱＩの６レベル（上位ビット３ビット）によって表している。また、各グループ内の４つのレベルを中位ＣＱＩの２レベル（下位１ビット）ごとに分け、さらに、中位ＣＱＩの２レベルを下位ＣＱＩの４レベル（下位２ビット）によって特定することを示している。
【００３７】
また、図１０は、本発明の実施の形態３に係るＣＱＩ報告周期を示す図である。この図では、図９に示した上位ビットの報告周期は第１〜第４階層（ｎ＝１〜４）の全ての階層で８ｍｓｅｃとする。一方、図９に示した下位ビットの報告周期は第１階層で８ｍｓｅｃ、第２階層（ｎ＝２）で４ｍｓｅｃ、第３階層（ｎ＝３）で２ｍｓｅｃ、第４階層（ｎ＝４）で０．５ｍｓｅｃとする。
【００３８】
ここで、例えば、各階層でＣＱＩ＝１５を通知する場合、第１階層（ｎ＝１）では、８ｍｓｅｃ毎に上位ビットで“４”が通知される。また、第２階層（ｎ＝２）では、８ｍｓｅｃ毎に上位ビットで“４”が通知され、４ｍｓｅｃ毎に下位１ビットで“２”が通知される。また、第３階層（ｎ＝３）では、８ｍｓｅｃ毎に上位ビットで“４”が通知され、２ｍｓｅｃ毎に下位１ビットで“２”が通知される。さらに、第４階層（ｎ＝４）では、８ｍｓｅｃ毎に上位ビットで“４”が通知され、０．５ｍｓｅｃ毎に下位２ビットで“３”が通知される。
【００３９】
このように実施の形態３によれば、ＣＱＩをレベル毎にグループ分けし、グループを示す上位ビットとグループ内のＣＱＩをレベル分けした下位１ビットと、ＣＱＩを特定する下位２ビットとを設ける。そして、階層毎に報告するＣＱＩを上位ビット、下位１ビット及び下位２ビットを用いて報告し、低い階層ほど下位ビット数を低減することにより、ＣＱＩの総数をさらに低減することができる。
【００４０】
（実施の形態４）
本発明の実施の形態４に係るＵＥの構成は、実施の形態１の図３に示した構成と同様であり、その機能が一部異なるのみなので図３を援用し、実施の形態１とは異なる機能を有する部分について説明する。
【００４１】
図３において、最大値選択部１０５は、ＳＩＲ測定部１０４から出力されたＳＩＲのＲＢグループ毎の平均値を算出し、算出した平均値のうち階層毎の最大値を選択する。このとき、上位階層においてＳＩＲが最大として選択されたＲＢグループと重複する場合、上位階層と重複した部分を除外してＳＩＲの平均値を算出し直す。最大値選択部１０５は、算出し直した平均ＳＩＲをＣＱＩ信号生成部１０６に出力する。ただし、上位階層と重複した部分についてのＳＩＲは出力しない。
【００４２】
図１１は、本発明の実施の形態４に係るＣＱＩ信号生成の動作例を示す図である。この図では、第４階層（ｎ＝４）では第３グループのＳＩＲが最大であり、第３階層（ｎ＝３）では第６グループのＳＩＲが最大であり、さらに、第２階層（ｎ＝２）では第３グループのＳＩＲが最大であるとする。
【００４３】
このとき、第２階層において平均ＳＩＲが最大となる第３グループは、上位階層である第３階層においてＳＩＲが最大として選択された第６グループと重複するＲＢが生じている。同様に、第１階層においては、第２〜第４階層において選択された全てのＲＢグループと重複するＲＢ部分が生じている。
【００４４】
ところで、重複したＲＢについてＣＱＩが報告されたＮｏｄｅ Ｂでは、下位階層のＣＱＩに上位階層のＣＱＩを上書きするため、上位階層のＣＱＩと重複した下位階層のＣＱＩは使用されないことになる。そのため、ここでは、第２階層において平均ＳＩＲが最大
となる第３グループでは、第３階層において選択された第６グループと重複するＲＢ部分を除き、再度、ＳＩＲ平均値が算出され、算出されたＳＩＲに対応するＣＱＩ信号が生成される。同様に、第１階層では、第４階層において選択された第３グループ、第３階層において選択された第６グループ及び第２階層において選択された第３グループと重複するＲＢ部分を除き、再度、ＳＩＲ平均値が算出され、算出されたＳＩＲに対応するＣＱＩ信号が生成される。
【００４５】
これにより、平均化の対象とするＲＢ数を削減することができるので、実際の回線状態をより反映したＣＱＩを生成することができるので、第２階層及び第１階層において通知するＣＱＩの精度を向上させることができる。
【００４６】
本発明の実施の形態４に係るＮｏｄｅ Ｂの構成は、実施の形態１の図５に示した構成と同様であり、その機能が一部異なるのみなので図５を援用し、実施の形態１とは異なる機能を有する部分について説明する。
【００４７】
図５において、ＭＣＳ生成部２０３は、ＣＱＩ信号分離部２０２から出力されたＣＱＩ信号が上位階層のＣＱＩ報告対象となったＲＢグループと重複するか否かを判定する。重複する場合には、報告されたＣＱＩが上位階層において報告されていない部分のＣＱＩとして認識される。重複しない場合には、報告されたＣＱＩを報告対象となったＲＢグループのＣＱＩとして認識する。ＭＣＳ生成部２０３は、認識したＣＱＩに基づいて、ＲＢ毎にＭＣＳを生成し、生成したＭＣＳを下り信号生成部２０４に出力する。
【００４８】
このように実施の形態４によれば、ある階層の平均ＳＩＲが最大となるＲＢグループが、上位階層においてＣＱＩ報告対象として選択されたＲＢグループと重複する部分を有する場合、該階層のＲＢグループの重複部分を除いた部分について再度、平均ＳＩＲを算出する。そして、算出した平均ＳＩＲに対応するＣＱＩ信号を生成することにより、上位階層との重複部分以外のＲＢについてＣＱＩの精度を向上させることができる。
【００４９】
（実施の形態５）
本発明の実施の形態５に係るＵＥの構成は、実施の形態１の図３に示した構成と同様であり、その機能が一部異なるのみなので図３を援用し、実施の形態１とは異なる機能を有する部分について説明する。
【００５０】
図３において、最大値選択部１０５は、ＳＩＲ測定部１０４から出力されたＳＩＲのＲＢグループ毎の平均値を算出し、算出した平均値が最大となるＲＢグループを階層毎に選択する。このとき、ある階層において平均ＳＩＲが最大として選択されたＲＢグループと、１つ上の階層において選択されたＲＢグループとが重複する場合、１つ上の階層と重複した該階層におけるＲＢグループを除外する。最大値選択部１０５は、重複したグループを除外した該階層においてＳＩＲが最大となるＲＢグループを選択する。すなわち、重複したＲＢグループを除外する前の該階層においてＳＩＲが２番目に大きいＲＢグループを選択し、選択した２番目に大きいＳＩＲをＣＱＩ信号生成部１０６に出力する。
【００５１】
図１２Ａは、各階層における最大ＳＩＲとなるグループを示す図であり、図１２Ｂは、本発明の実施の形態５に係るＣＱＩ信号生成の動作例を示す図である。図１２Ａに示すように、第４階層（ｎ＝４）では第１１グループのＳＩＲが最大であり、第３階層（ｎ＝３）では第６グループのＳＩＲが最大であり、さらに、第２階層（ｎ＝２）では第３グループのＳＩＲが最大であるとする。
【００５２】
このとき、第３階層においてＳＩＲが最大として選択された第６グループは、１つ上の階層である第４階層においてＳＩＲが最大として選択された第１１グループと重複するＲ
Ｂが生じている。そこで、図１２Ｂに示すように、第３階層においてＳＩＲが２番目に大きい第２グループをＣＱＩ報告対象とし、２番目に大きいＳＩＲに対応するＣＱＩ信号を生成する。
【００５３】
図１２Ａ及び図１２Ｂの例では、第３階層のＣＱＩ報告対象を第６グループから第２グループに変更したことにより、第２階層においてＳＩＲが最大として選択された第３グループは、１つ上の階層（第３階層）において選択されたＲＢグループと重複しなくなるので、第２階層では第３グループをＣＱＩ報告対象とする。ただし、第１階層では、１つ上の階層において選択されたＲＢグループと必ず重複するが、１つのＲＢグループしか存在しないので、ＳＩＲが２番目に大きいＲＢグループは存在せず、報告対象の変更は行えない。
【００５４】
このように実施の形態５によれば、ある階層のＳＩＲが最大となるＲＢグループが、１つ上の階層においてＣＱＩ報告対象として選択されたＲＢグループと重複する部分を有する場合、該階層においてＳＩＲが２番目に大きいＲＢグループのＣＱＩ信号を生成することにより、重複して通知するＣＱＩを削減することができ、また、ＣＱＩの報告ビット数を維持したままＣＱＩの精度を向上させることができる。
【００５５】
（実施の形態６）
図１３は、本発明の実施の形態６に係るＵＥ３００の構成を示すブロック図である。図１３が図３と共通する部分には図３と同一の符号を付し、重複する説明は省略する。図１３が図３と異なる点は、最大値選択部１０５をグループ再編部３０１に変更した点である。
【００５６】
図１３において、グループ再編部３０１は、ＳＩＲ測定部１０４から出力されたＳＩＲに基づいて、第２及び第３階層のＲＢグループを再編する。具体的には、グループ再編部３０１は、まず、第４階層においてＳＩＲが最大となるＲＢグループを選択し、選択したＲＢグループに対応する第３階層の部分を除外してＲＢグループを再編する。再編した第３階層においてＳＩＲが最大となるＲＢグループを選択する。さらに、第２階層では、第４及び第３階層において選択されたＲＢグループを除外してＲＢグループを再編し、再編したＲＢグループのうちＳＩＲが最大となるＲＢグループを選択する。グループ再編部３０１は、各階層について選択したＲＢグループ番号及びそのＳＩＲをＣＱＩ信号生成部１０６に出力する。
【００５７】
図１４は、本発明の実施の形態６に係るグループ再編の動作例を示す図である。ここでも、グループ再編前は、図１２Ａに示すように、第４階層（ｎ＝４）では第１１グループのＳＩＲが最大であり、第３階層（ｎ＝３）では第６グループのＳＩＲが最大であり、さらに、第２階層（ｎ＝２）では第３グループのＳＩＲが最大であるとする。
【００５８】
このとき、第４階層では第１１グループが選択され、第３階層では第４階層において選択された第１１グループと重複する部分を除外してＲＢグループが再編される。図１４の場合、再編された第３階層は、第４階層の第１０及び第１２グループに対応する部分を第６’グループとし、第４階層の第８及び第９グループに対応する部分を第５’グループとして、以下、同様にしてＲＢグループが再編される。
【００５９】
続いて、再編された第３階層では第６’グループが選択され、第２階層では第４階層において選択された第１１グループと重複する部分及び第３階層において選択された第６’グループと重複する部分をそれぞれ除外してＲＢグループが再編される。図１４の場合、再編された第２階層は、第３階層の第４’及び第５’グループに対応する部分を第３’グループとし、第３階層の第２’及び第３’グループに対応する部分を第２’グループとし
、第３階層の第１’グループに対応する部分を第１’グループとする。
【００６０】
このように再編された第２階層では、第２’グループが選択される。なお、第１階層では、第４階層において選択された第１１グループ、第３階層において選択された第６’グループ及び第２階層において選択された第２’グループと重複する部分を除外したＲＢがＣＱＩ報告対象となる。すなわち、このＣＱＩ報告対象であるＲＢの平均ＳＩＲに対応するＣＱＩ信号が生成されることになる。
【００６１】
本発明の実施の形態６に係るＮｏｄｅ Ｂの構成は、実施の形態１の図５に示した構成と同様であり、その機能が一部異なるのみなので図５を援用し、実施の形態１とは異なる機能を有する部分について説明する。
【００６２】
図５において、ＭＣＳ生成部２０３は、ＣＱＩ信号分離部２０２から出力されたＣＱＩ信号に基づいて、ＵＥ３００において再編された各階層のＲＢグループを認識する。具体的には、ＵＥ３００における再編の規則と同様に、第３階層では、第４階層においてＣＱＩが報告されたＲＢグループを除外して再編されたＲＢグループを認識する。第２階層では、再編された第３階層においてＣＱＩが報告されたＲＢグループを除外して再編されたグループを認識する。このように、ＭＣＳ生成部２０３は、再編されたＲＢグループについて報告されたＣＱＩに基づいて、ＲＢ毎にＭＣＳを生成する。
【００６３】
このように実施の形態６によれば、上位階層においてＣＱＩ報告対象として選択されたＲＢグループと重複する部分を除外してＲＢグループを再編し、再編したＲＢグループについてＣＱＩ信号を生成することにより、上位階層との重複部分以外のＲＢについてＣＱＩの精度を向上させることができる。
【００６４】
なお、上記各実施の形態では、ＲＢの階層化を４階層とする場合について説明したが、本発明はこれに限らず、３階層以上であればよい。また、ＲＢ数を１２とする場合について説明したが、これに限るものでもない。
【００６５】
また、上記各実施の形態では、ＲＢを階層化した場合について説明したが、本発明はこれに限らず、ＲＢの組み合わせを示す異なるフォーマットでもよい。
【００６６】
なお、上記各実施の形態では、本発明をハードウェアで構成する場合を例にとって説明したが、本発明はソフトウェアで実現することも可能である。
【００６７】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００６８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００６９】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００７０】
２００６年６月２６日出願の特願２００６−１７５８１９及び２００６年１１月２９日
出願の特願２００６−３２２３４７の日本出願に含まれる明細書、図面および要約書の開示内容は、すべて本願に援用される。
【産業上の利用可能性】
【００７１】
本発明にかかる無線通信装置及びＣＱＩ生成方法は、階層化されたＲＢについて、階層毎にＣＱＩを報告する際、ＣＱＩの総数をさらに低減することができ、3GPPに代表される移動通信システム等に適用できる。
【図面の簡単な説明】
【００７２】
【図１】ＲＢの階層化を示す図
【図２】回線状態と図１に示した階層毎にＣＱＩを報告する様子とを示す図
【図３】本発明の実施の形態１〜５に係るＵＥの構成を示すブロック図
【図４】図３に示したＣＱＩ信号生成部のＣＱＩ報告周期を示す図
【図５】本発明の実施の形態１、４及び６に係るＮｏｄｅ Ｂの構成を示すブロック図
【図６】ＣＱＩ番号用ビット数とＣＱＩ報告周期を示す図
【図７】本発明の実施の形態２に係るＣＱＩとＭＣＳとの対応関係を示す図
【図８】本発明の実施の形態２に係るＣＱＩ報告周期を示す図
【図９】本発明の実施の形態３に係るＣＱＩとＭＣＳとの対応関係を示す図
【図１０】本発明の実施の形態３に係るＣＱＩ報告周期を示す図
【図１１】本発明の実施の形態４に係るＣＱＩ信号生成の動作例を示す図
【図１２Ａ】各階層における最大ＳＩＲとなるグループを示す図
【図１２Ｂ】本発明の実施の形態５に係るＣＱＩ信号生成の動作例を示す図
【図１３】本発明の実施の形態６に係るＵＥの構成を示すブロック図
【図１４】本発明の実施の形態６に係るグループ再編の動作例を示す図
【手続補正３】
【補正対象書類名】図面
【補正対象項目名】全図
【補正方法】変更
【補正の内容】
【図１】
2008001727.tif 000018
【図２】
2008001727.tif 000019
【図３】
2008001727.tif 000020
【図４】
2008001727.tif 000021
【図５】
2008001727.tif 000022
【図６】
2008001727.tif 000023
【図７】
2008001727.tif 000024
【図８】
2008001727.tif 000025
【図９】
2008001727.tif 000026
【図１０】
2008001727.tif 000027
【図１１】
2008001727.tif 000028
【図１２Ａ】
2008001727.tif 000029
【図１２Ｂ】
2008001727.tif 000030
【図１３】
2008001727.tif 000031
【図１４】
2008001727.tif 000032
【国際調査報告】
2008001727.tif 000033
2008001727.tif 000034
2008001727.tif 000035
2008001727.tif 000036